(57)【要約】      （修正有）【課題】食品包装用容器を積み重ね易くし、上側の容器がずれ落ちにくくすること、蓋を被せた食品包装用容器を積み重ねても容器や蓋が潰れないようにすること。【解決手段】内容器１と枠材２と蓋３を備えた食品包装用容器であって、内容器１に長い仕切り壁６で仕切られる食品収納用凹部４、５と、短い仕切り壁１１、１２で仕切られる小さな食品収納用凹部７、８を設けるとともに、内容器１の外周に枠材２の上端面に当接する外縁部９を設けてある。そして、複数の食品包装用容器を積み重ねた時、上側の枠材２の下端面は外縁部９の上に載置され、枠材２の深さは蓋３をした状態における蓋３の頂面の高さと食品収納用凹部４、５の底面の高さとの差以上となっている。【選択図】図１
0003200813.tif 000002
【実用新案登録請求の範囲】
【請求項１】
薄い樹脂製又は紙製の内容器と枠材を備える食品包装用容器であって、
前記内容器は少なくとも１つの食品収納用凹部を有し、
前記内容器の上縁には外方に広がり前記枠材の上端面に当接する外縁部が設けてあり、
前記枠材は前記食品収納用凹部を収容可能であり、
前記枠材の下端面は前記外縁部の上に載置可能であり、
前記食品収納用凹部は少なくとも１つの仕切り壁を有し、
該仕切り壁の両端部は、前記外縁部の上面より高くなっている
ことを特徴とする食品包装用容器。
【請求項２】
前記食品包装用容器は蓋を備え、
前記食品収納用凹部を前記枠材に収容し蓋をした状態において、前記枠材の深さは前記蓋の頂面の高さと前記食品収納用凹部の底面の高さとの差以上となっている
ことを特徴とする請求項１記載の食品包装用容器。
【請求項３】
前記蓋は、前記食品収納用凹部の上部を覆う上面部と、該上面部の周囲から下方に延びる外壁部と、該外壁部の下端から外方に広がり前記外縁部の上面に当接する当接部を有している
ことを特徴とする請求項２記載の食品包装用容器。
【考案の詳細な説明】
【技術分野】
【０００１】
本考案は、にぎり寿司等の食品を収納するための食品包装用容器に関する。
【背景技術】
【０００２】
特許文献１（特開平１１−７０９３０号公報）には、寿司等の食品の収納に好適な包装用容器として、浅い収納用凹部と収納用凹部内に凸部による小区画を成形するとともに、透明な高蓋を被せて収容物を保護できるようにしたものが記載されている（特に図３を参照）。
また、特許文献２（特許第５５６８１２２号公報）には、容器本体と蓋体とが組み合わされてなる寿司用容器であって、容器本体の収容物載置部に小突起を設けることにより、作業者が収容物載置部に寿司を並べる位置の目安にでき、寿司のずれ止めとしての作用も発揮できるものが記載されている（特に図１及び段落００３２を参照）。
【０００３】
ところが、これらの包装用容器や寿司用容器は積み重ねて利用するのに適しておらず、積み重ねた場合には上側の容器がずれ落ちたり下側にある容器や蓋が潰れたりして商品価値が落ちてしまうという問題があった。
【先行技術文献】
【特許文献】
【０００４】
【特許文献１】特開平１１−７０９３０号公報
【特許文献２】特許第５５６８１２２号公報
【考案の概要】
【考案が解決しようとする課題】
【０００５】
本考案は上記の問題を解決し、食品包装用容器を積み重ね易くし、上側の容器がずれ落ちにくくすることを第一の課題とする。
また、蓋を被せた食品包装用容器を積み重ねて利用した場合において、容器や蓋が潰れないようにすることを第二の課題とする。
【課題を解決するための手段】
【０００６】
請求項１に係る考案の食品包装用容器は、薄い樹脂製又は紙製の内容器と枠材を備える食品包装用容器であって、前記内容器は少なくとも１つの食品収納用凹部を有し、前記内容器の上縁には外方に広がり前記枠材の上端面に当接する外縁部が設けてあり、前記枠材は前記食品収納用凹部を収容可能であり、前記枠材の下端面は前記外縁部の上に載置可能であり、前記食品収納用凹部は少なくとも１つの仕切り壁を有し、該仕切り壁の両端部は、前記外縁部の上面より高くなっていることを特徴とする。
【０００７】
請求項２に係る考案の食品包装用容器は、請求項１記載の食品包装用容器において、前記食品包装用容器は蓋を備え、前記食品収納用凹部を前記枠材に収容し蓋をした状態において、前記枠材の深さは前記蓋の頂面の高さと前記食品収納用凹部の底面の高さとの差以上となっていることを特徴とする。
【０００８】
請求項３に係る考案の食品包装用容器は、請求項２記載の食品包装用容器において、前記蓋は、前記食品収納用凹部の上部を覆う上面部と、該上面部の周囲から下方に延びる外壁部と、該外壁部の下端から外方に広がり前記外縁部の上面に当接する当接部を有していることを特徴とする。
【考案の効果】
【０００９】
請求項１に係る考案の食品包装用容器は、内容器は食品収納用凹部を有し、内容器の上縁には外方に広がり枠材の上端面に当接する外縁部が設けてあり、枠材の下端面は外縁部に載置可能であり、食品収納用凹部は少なくとも１つの仕切り壁を有し、仕切り壁の両端部は外縁部の上面より高くなっているので、食品包装用容器を積み重ねた時、上側の食品包装用容器の枠材の下端面が外縁部の上に載置されるとともに、同枠材の内面の一部が仕切り壁の両端の外面に接することとなる。
そのため、食品包装用容器を上下に積み重ねた時、食品包装用容器同士がずれにくく積み重ねた状態で運び易い。
【００１０】
請求項２に係る考案によれば、請求項１に係る考案の食品包装用容器による効果に加えて、食品収納用凹部を枠材に収容し蓋をした状態において、枠材の深さは蓋の頂面の高さと食品収納用凹部の底面の高さとの差以上となっている。
そのため、蓋をした状態で食品包装用容器を積み重ねても、上側の食品包装用容器の荷重が下側の食品包装用容器の蓋にかからず、食品包装用容器の蓋や内容器が潰れたり、収納されている食品等を潰したり崩したりすることがないという効果がある。
【００１１】
請求項３に係る考案によれば、請求項２に係る考案の食品包装用容器による効果に加えて、蓋は食品収納用凹部の上部を覆う上面部と上面部の周囲から下方に延びる外壁部と外壁部の下端から外方に広がり外縁部の上面に当接する当接部を有しているので、食品包装用容器を積み重ねると、上側の食品包装用容器の枠材の下端面は蓋の当接部の上面に載置され、蓋の周囲を押さえつけることとなる。
そのため、食品包装用容器の内部を密閉することができる。
【図面の簡単な説明】
【００１２】
【図１】実施例に係る食品包装用容器の斜視図。
【図２】実施例に係る食品包装用容器の平面図。
【図３】図２のＡ−Ａ線断面図。
【図４】図２のＢ−Ｂ線断面図。
【図５】実施例に係る食品包装用容器の枠材の平面図。
【図６】図５のＣ−Ｃ線断面図。
【考案を実施するための形態】
【００１３】
以下、実施例によって本考案の実施形態を説明する。
【実施例】
【００１４】
図１は実施例に係る食品包装用容器の斜視図であり、実施例に係る食品包装用容器は、薄いプラスチック製で一体成形により作製された内容器１と、折り畳み可能で開いた時に直方体状となる枠材２と、薄い透明なプラスチック製で一体成形により作製された蓋３を備えている。
また、図２は実施例に係る食品包装用容器の平面図であり、図３は図２のＡ−Ａ線断面図、図４は図２のＢ−Ｂ線断面図であり、実施例に係る食品包装用容器を使用するに際しては、内容器１を枠材２の上方からかぶせて組み立て、その後にぎり寿司等の食品を食品収納用凹部４、５に、長い仕切り壁６に沿って並べるとともに、生姜や醤油袋等を小さな食品収納用凹部７、８に収容させ、さらに、蓋３を内容器１の上方からかぶせて用いる。
【００１５】
内容器１は、図２〜４に示すように、平面視が長方形の浅いトレー状の容器であり、２つの食品収納用凹部４、５と、２つの小さな食品収納用凹部７、８を有しており、外周には枠材２の厚みより少し大きい幅の平坦面からなる外縁部９と外縁部９の端部から直角に折れ曲がっている垂下部１０を有している。
そして、２つの食品収納用凹部４、５の間は長い仕切り壁６で斜めに仕切られ、食品収納用凹部４と小さな食品収納用凹部７の間は短い仕切り壁１１で仕切られ、食品収納用凹部５と小さな食品収納用凹部８の間は短い仕切り壁１２で仕切られている。
長い仕切り壁６の中央部は低く長い突条であり、両端部は幅を広げながら徐々に高くなり、両端付近は外縁部９の平坦面より上方に突出した隆起部１３となっている。
また、短い仕切り壁１１、１２の中央部は外縁部９の平坦面より少し低い突条であり、両端部は徐々に高くなり、両端付近は外縁部９の平坦面より上方に突出した幅の広い突起部１４、１５となっている。
さらに、内容器１の側壁１６の外側の一部（四隅の近傍に２箇所ずつ）には内容器１の上縁に沿って突出する突出部１７が設けてある。
【００１６】
枠材２は図５に示すように、発泡プラスチックの板２１を環状に接続したものであり、一方の対角線上に位置する隅部には２つのＶ字状の溝２２、２３が設けてあるとともに、他方の対角線上に位置する隅部には１つのＶ字状の溝２４が設けてある。
そして、枠材２は２つのＶ字状の溝２２、２３を設けた隅部において折り畳まれ、１つのＶ字状の溝２４を設けた隅部が１８０°に広げられて、対向する内面同士が密着し、発泡プラスチックの板２１を２枚重ねた状態にすることが可能となっている。
さらに、図３、４及び６に示すように、枠材２の内側には上端面２５に沿って溝条２６が設けてあり、枠材２の各辺の中央下部には台形状の切り欠き部２７が設けてある。
【００１７】
蓋３は図１〜４に示すように、略角錐台形状であり、内容器１の上部を覆う上面部３１と、上面部３１の周囲から下方に延びる外壁部３２と、外壁部３２の下端から外方に広がり内容器１の外縁部９の上面に当接する当接部３３と、当接部３３の端部から下方に延びる周壁部３４を有している。
そして、長い方の外壁部３２の下部には各々２つの膨出部３５が設けてあり、周壁部３４の内側の中央部及び両端部近傍には、当接部３３に沿って凸条３６が設けてある。
なお、膨出部３５は複数の蓋３を重ねた時に、蓋同士が密着しないようにするためのものであり、各々の蓋３に設けられる膨出部３５の設置位置は少しずつずらしてある。
【００１８】
食品包装用容器の組み立てに際しては、折り畳まれた状態の枠材２を開いて直方体状とした後、直方体状とした枠材２の上から内容器１を落とし込み、内容器１の外縁部９を枠材２の上端面２５に当接させるとともに、枠材２の溝条２６に内容器１の突出部１７を嵌合させる。
図３、４から分かるように、組み立てた後には内容器１の側壁１６、外縁部９及び垂下部１０で形成される溝部に枠材２の上端部が嵌まり込むとともに、枠材２の溝条２６に内容器１の突出部１７が嵌合することで、内容器１と枠材２が分離しにくい状態となる。
なお、枠材２は開いた時に回転対称形となるので、内容器１を落とし込む際に方向性を気にすることなく組み立てることができる。
【００１９】
枠材２と内容器１を組み立てた後、長い仕切り壁６に沿って寿司を並べ生姜や醤油袋を小さな食品収納用凹部７、８に収容した上で、蓋３を内容器１の上方からかぶせる。
そうすると、図３、４に示すように、蓋３の当接部３３は内容器１の外縁部９の上面に当接し、周壁部３４の内側に設けてある凸条３６は内容器１の垂下部１０の下に位置することとなるので、蓋３が不意に外れてしまうことがない。
【００２０】
寿司等を収容して蓋３をした食品包装用容器を複数積み重ねて利用するに際しては、下側の食品包装用容器の蓋３の上に上側の食品包装用容器の枠材２をかぶせるようにして重ね、枠材２の下端面を蓋３の当接部３３の上面に載置させる。
そして、枠材２の深さは蓋３の上面の頂上（頂面）の高さと食品収納用凹部４、５の底面の高さとの差以上となっているので、食品包装用容器を複数積み重ねても、上側の食品収納用凹部４、５の底面が下側の蓋３の上面を押すことがない。
すなわち、上側の食品包装用容器の荷重が下側の食品包装用容器の蓋にかかることはないので、下側にある食品包装用容器の蓋が潰れ、収納されている食品等が潰れたり崩れたりせず、上側にある食品包装用容器の内容器１が潰れたり破れたりすることもない。
また、食品包装用容器を上下に積み重ねた場合、内容器１の隆起部１３や突起部１４、１５が蓋３の外壁部３２の下端部内面に接しているとともに、下側にある蓋３の外壁部３２の下端部外面が上側にある枠材２の下端部内面に接する状態となるので、食品包装用容器同士が左右にずれることなく積み重ねた状態が保たれ易い。
そのため、上側の食品包装用容器がずれ落ちて収容した寿司等が偏ったり崩れたりしにくく、また、積み重ねた食品包装用容器を容易に移動、運搬することができる。
【００２１】
実施例の変形例を列記する。
（１）実施例の食品包装用容器は直方体状となっているが、直方体状に限らず角柱状、円柱状、楕円柱状等どのような形状であっても良い。
（２）実施例の内容器１は、食品収納用凹部４、５及び小さな食品収納用凹部７、８を有しているが、食品収納用凹部の大きさや配置はこの例に限らず適宜選択可能である。
（３）実施例の内容器１は、一体成形により作製された薄いプラスチック製のものであるが、プラスチック製に限らず紙製のものであっても良い。
【００２２】
（４）実施例の内容器１は長い仕切り壁６及び短い仕切り壁１１、１２を有しているが、長い仕切り壁６だけ又は短い仕切り壁１１、１２だけを設けても良い。
（５）実施例の内容器１は長い仕切り壁６及び短い仕切り壁１１、１２を有し、それぞれ両端付近は外縁部９の平坦面より上方に突出した隆起部１３及び突起部１４、１５となっているが、仕切り壁を設けず食品収納用凹部を１つだけとしても良く、隆起部１３及び突起部１４、１５は設けなくても良い。
ただし、そうした場合、蓋３をしたまま複数の食品包装用容器を積み重ねられるように、枠材２の深さは蓋３の頂面の高さと食品収納用凹部４、５の底面の高さとの差以上とするとともに、蓋３で上側の食品包装用容器のずれ落ちを防止するため、蓋３を内容器１又は枠材２に固定する構成（実施例の場合、周壁部３４）が必要である。
【００２３】
（６）実施例の内容器１には上縁に沿って平行に突出する突出部１７が複数設けてあるが、これらは内容器１と枠材２を分離しにくくするものであるから設けなくても良い。
そうした場合、枠材２の内側に設けてある溝条２６は不要となる。
また、内容器１の側壁１６の外側に溝条２６を設けるとともに、枠材２の内側に突出部を複数設け、食品包装用容器の組み立てに際して、内容器１の溝条に枠材２の突出部を嵌合させるようにしても良い。
（７）実施例においては内容器１の外周に外縁部９と垂下部１０を設けてあるが、垂下部１０は設けなくても良く、外縁部９は枠材２の上端面２５に当接して内容器１が枠材２の内側に落ち込まないようにすることができれば、どのような形状のものでも良い。
【００２４】
（８）実施例の枠材２は発泡プラスチック製の平板であるが、硬質プラスチック、木、紙又は金属等、適宜の材質の平板を用いても良い。
（９）実施例においては枠材２を折り畳めるものとしたが、枠材２は折り畳めないものであっても良い。
（１０）実施例においては枠材２の各辺の中央下部に台形状の切り欠き部２７が設けてあるが、これらは枠材２の上下を分かり易くするとともに、積み重ねた時に積み重ねた状態で下側の食品包装用容器内部を確認できるようにするためのものであるから、設けなくても食品包装用容器の組み立てに格別の支障はない。
（１１）実施例においては枠材２の深さが蓋３の頂面の高さと食品収納用凹部４、５の底面の高さとの差以上となっているが、蓋３をせずに食品包装用容器を複数積み重ねて用いる場合には、枠材２の深さは内容器１の外縁部９の高さと食品収納用凹部４、５の底面の高さとの差以上となっていれば良い。なお、隆起部１３及び突起部１４、１５は食品収納用凹部４、５、７、８の底面にぶつからないように成型してある。
【００２５】
（１２）実施例の蓋３は、一体成形により作製された薄い透明なプラスチック製のものであるが、不透明又は半透明であっても良く、プラスチック製に限らずどのような材質のものであっても良い。
（１３）実施例の蓋３は、当接部３３と周壁部３４を有しているが、当接部３３のみを有するものとしても良く、当接部３３も有さず単に食品収納用凹部の上部を覆うだけのものとしても良い。
（１４）実施例の蓋３には、長い外壁部３２の下部に各々２つの膨出部３５が設けてあるが、これらは蓋同士を重ねた時に密着しないようにするためのものであるから設けなくても良く、１箇所だけに設けても良い。
なお、膨出部３５は平面図において当接部３３に突出しない方が、当接部３３の上面に枠材２の下端面を載置させる際に都合が良い。ただし、少々突出していても枠材２はたわむので利用できなくなるわけではない。
【符号の説明】
【００２６】
１  内容器      ２  枠材        ３  蓋
４、５  食品収納用凹部      ６  長い仕切り壁
７、８  小さな食品収納用凹部      ９  外縁部
１０  垂下部      １１、１２  短い仕切り壁      １３  隆起部
１４、１５  突起部      １６  側壁      １７  突出部  
２１  発泡プラスチックの板      ２２、２３、２４  Ｖ字状の溝
２５  上端面      ２６  溝条      ２７  台形状の切り欠き部
３１  上面部      ３２  外壁部      ３３  当接部
３４  周壁部      ３５  膨出部      ３６  凸条
【図１】
0003200813.tif 000003
【図２】
0003200813.tif 000004
【図３】
0003200813.tif 000005
【図４】
0003200813.tif 000006
【図５】
0003200813.tif 000007
【図６】
0003200813.tif 000008